(57)【特許請求の範囲】
【請求項１】
ランプ本体の端部に設けられた口金と、
前記口金から延びて設けられ、扁平な断面形状を有し、内部に中空空間を備えた接続ピンと、
一方は電極に接続され、他方は前記接続ピンの前記内部空間に挿入されて前記接続ピンの扁平面のカシメ変形によって前記接続ピンの内壁に固定される導入線と、
を含み、
前記接続ピンの前記扁平面がカシメ変形される領域において、前記接続ピンの前記扁平面の前記内壁に、前記導入線の位置を規制する突起状のガイド部が設けられている蛍光ランプ。
【請求項２】
前記導入線の中心を、前記扁平面上のカシメ変形される点を通って２つの前記扁平面の垂線方向に延びるカシメ方向線の近傍に位置させるように、少なくとも１組の前記ガイド部が形成されている、請求項１に記載の蛍光ランプ。
【請求項３】
前記ガイド部が、前記カシメ方向線に対して線対称となるように形成されている、請求項２に記載の蛍光ランプ。
【請求項４】
前記ガイド部が、前記カシメ方向線と２つの前記扁平面との２つの交点の間を結ぶ線分の中点に対して点対称となるように形成されている、請求項２に記載の蛍光ランプ。
【請求項５】
前記ガイド部が、前記接続ピンの延設方向に沿った線状の突起である、請求項２から４のいずれか１項に記載の蛍光ランプ。
【発明の詳細な説明】
【技術分野】
【０００１】
本発明は、蛍光ランプに関する。
【背景技術】
【０００２】
蛍光ランプの口金においては、一般的に、円筒形状の接続ピンを備えた口金が用いられている。それは、接続ピンの円形断面が、接続ピン内部に挿入される導入線との接続およびソケットの受金との接続に適しているためである。
【０００３】
図５に、そのような従来の蛍光ランプの口金の一例を示す。図５（ａ）が蛍光ランプの端部を示す概略平面図であり、図５（ｂ）が口金部分の概略正面図である。
【０００４】
蛍光ランプ２０１のランプ本体２１０の端部に設けられた口金２０２には、円形断面を有する円筒形状の接続ピン２０３が突出して設けられている。図６に示したように、接続ピン２０３の内部には、一方の端部がランプ本体２１０の電極（図示せず）に接続された導入線２０４が挿入されており、カシメ変形によって接続ピン２０３に形成されたカシメ変形部２３６により固定されている。これにより、導入線２０４と接続ピン２０３との電気的な接続がなされている。ここで、導入線２０４が接続ピン２０３内のどこに位置していても確実な固定ができることが、円形断面の接続ピン２０３の適している点である。
【０００５】
一方で、近年、口金の非互換性を保つ目的で、断面形状が円形ではない接続ピンが使用されてきている。図７に、そのような扁平断面を有する接続ピンの概略断面図を示す。
【０００６】
この場合のカシメ変形工程では、接続ピン１０３の扁平面１３１を内側に向けて押圧して形成されたカシメ変形部１３６により、導入線１０４は接続ピン１０３に固定され、電気的接続が得られている。ここで、カシメ変形は、扁平面１３１上の点Ｃを通って扁平面１３１の垂線方向に延びる破線Ｙ−Ｙに沿って行われる。図７（ａ）に示すように、このカシメ方向に沿った破線Ｙ−Ｙ上に導入線１０４の中心がほぼ位置している場合には、円形断面の接続ピンの場合と同様に、導入線１０４と接続ピン１０３は確実に固定することができ、十分な電気的接続を得ることができる（図７（ｂ））。
【発明の開示】
【発明が解決しようとする課題】
【０００７】
しかし、扁平断面の接続ピン１０３では、図８（ａ）に示すように、導入線１０４が接続ピン１０３内部でカシメ方向に沿った破線Ｙ−Ｙから大きくずれて、例えば接続ピン１０３内の端部に挿入されてしまう場合が起こりうる。その場合、上記のような破線Ｙ−Ｙに沿ったカシメ変形工程を行っても、導入線１０４と接続ピン１０３は十分に固定されなくなる（図８（ｂ））。
【０００８】
このことにより、一部の蛍光ランプにおいては、導入線との電気的接続の不具合による導通不良が発生したり、接触抵抗の増大により生じる発熱、温度上昇によって受金へ影響を与えたりする接続ピンが問題となっていた。
【０００９】
そこで本発明は、カシメ変形による口金の接続ピンと導入線との確実な固定を安定的に行うことができる蛍光ランプを提供することを目的とする。
【課題を解決するための手段】
【００１０】
上述した目的を達成するために、本発明の蛍光ランプは、ランプ本体の端部に設けられた口金と、前記口金から延びて設けられ、扁平な断面形状を有し、内部に中空空間を備えた接続ピンと、一方は電極に接続され、他方は前記接続ピンの前記内部空間に挿入されて前記接続ピンの扁平面のカシメ変形によって前記接続ピンの内壁に固定される導入線と、を含み、前記接続ピンの前記扁平面がカシメ変形される領域において、前記接続ピンの前記扁平面の前記内壁に、前記導入線の位置を規制する突起状のガイド部が設けられている。
【発明の効果】
【００１１】
以上、本発明によれば、カシメ変形による口金の接続ピンと導入線との確実な固定を安定的に行うことができる蛍光ランプを提供することができる。
【発明を実施するための最良の形態】
【００１２】
以下に、本発明の蛍光ランプの実施形態について、図１から図４を参照して説明する。
【００１３】
図１（ａ）は、蛍光ランプ１の端部を破断して示す概略側面図であり、図１（ｂ）は、蛍光ランプ１の口金２部分を示す概略正面図である。
【００１４】
ランプ本体１０の端部には口金２が設けられており、口金２には接続ピン３が突出して設けられている。口金２が照明器具等のソケットの受金に装着されて、接続ピン３を通じて、ランプ本体１０に電力が供給される。口金２から延設された接続ピン３は、内部に中空空間を備えており、その断面形状は扁平であって、互いに平行な２つの扁平面３１を備えている。
【００１５】
接続ピン３の内部空間には、導入線４（図１では図示せず）が挿入されており、カシメ変形によって接続ピン３の内壁に固定されている。導入線４のもう一方の端部は、ランプ本体１０の電極（図示せず）に接続されており、それにより接続ピン３とランプ本体１０の電気的な接続がなされている。
【００１６】
図２は、カシメ変形によって導入線４が接続ピン３内部で固定される様子について、カシメ変形が行われる領域における接続ピン３を概略的に示した断面図である。図２（ａ）および図２（ｂ）は、それぞれカシメ変形前およびカシメ変形後の様子を示したものである。
【００１７】
図２（ａ）に示すように、扁平面３１の内壁３２ａ、３３ａにはそれぞれ、カシメ方向線である破線Ｘ−Ｘに対して線対称となるように１組ずつのガイド部３４ａ、３５ａが形成されている。ここでカシメ方向線Ｘ−Ｘは、扁平面３１上のカシメ変形される点（図２では点Ａ）を通って２つの扁平面３１の垂線方向に延びる線である。ガイド部３４ａ、３５ａは、接続ピン３の延設方向に沿った線状の突起として、導入線４を接続ピン３内に滑らかに挿入させるような高さで形成されている。また、ガイド部３４ａ、３５ａは、導入線４が接続ピン３内で容易に移動しないような十分な高さとなっている。したがって、導入線４が接続ピン３内に挿入されると、その位置はカシメ方向線Ｘ−Ｘ近傍に規制されることになる。
【００１８】
カシメ変形は、カシメ方向線Ｘ−Ｘに沿って扁平面３１上を押圧して塑性変形させることで行われる。ここでは、図２（ｂ）に示すように、カシメ変形部３６ａは内壁３２ａ側に形成され、このカシメ変形部３６ａにより導入線４は接続ピン３と確実に固定される。このとき導入線４は、ガイド部３４ａ、３５ａによってその位置が規制されているため、カシメ方向線Ｘ−Ｘ近傍から容易にずれなくなっている。これにより、カシメ変形による導入線４と非円形断面の接続ピン３との固定は安定的に行われることとなる。
【００１９】
図２（ａ）でガイド部３４ａ、３５ａは、対向する内壁３２ａ、３３ａに対しても互いに対称になるように形成されている。そのため、導入線４は、カシメ方向線Ｘ−Ｘと２つの扁平面３１との２つの交点Ａ、Ｂの間を結ぶ線分ＡＢの中点Ｏに、その中心がほぼ位置するようにされている。しかし、ガイド部３４ａ、３５ａは、導入線４の中心をカシメ方向線Ｘ−Ｘ近傍に位置させるものであればよい。そのため、例えば、ガイド部３４ａ、３５ａは互いに対称となるように形成されている必要はなく、またどちらか一方だけが形成されていてもよい。
【００２０】
また、ガイド部３４ａ、３５ａは、導入線４が接続ピン３内に滑らかに挿入できるように、かつ接続ピン３内で容易にずれることがないようにされていればよく、例えば接続ピン３の延設方向に沿って配置されたいくつかの突起でもよい。
【００２１】
図３は、ガイド部３４ｂ、３５ｂが、カシメ方向線Ｘ−Ｘと２つの扁平面３１との２つの交点Ａ、Ｂの間を結ぶ線分ＡＢの中点Ｏに対して点対称となるように、扁平面３１の内壁３２ｂ、３３ｂにそれぞれ形成されている実施例である。
【００２２】
この場合も、ガイド部３４ｂ、３５ｂによって、接続ピン３内部に挿入された導入線４はカシメ方向線Ｘ−Ｘ近傍から容易にずれないようにされているため、カシメ変形による導入線４と接続ピン３との固定を確実に行うことができる。ここでも、ガイド部３４ｂ、３５ｂは、必ずしも線分ＡＢの中点Ｏに対して点対称であったり、または接続ピン３方向に延びた線状の突起であったりしなくてよく、導入線４の中心をカシメ方向線Ｘ−Ｘ近傍に沿って位置させるようなものであればよい。
【００２３】
導入線４を接続ピン３内に滑らかに挿入させるようなガイド部を設ける代わりに、カシメ変形を２回行い、そのうちの１つをガイド部として利用することも可能である。そのような実施例について、図４に示す。
【００２４】
この実施例は、図４（ａ）に示すような、導入線４の位置がカシメ方向線Ｘ−Ｘ上から大きく外れた場合に、特に有効である。
【００２５】
図４（ｂ）は、１回目のカシメ変形後の様子を示しており、一方の内壁３２ｃに凸形状のガイド部３４ｃが形成されている。ここでのガイド部３４ｃは、導入線４と接続ピン３とを完全には固定させることはできないが、導入線４を接続ピン３の内側壁の円弧部分との間で保持させるには十分である。この保持された状態の導入線４に対して、もう一方の内壁３３ｃにカシメ変形部３６ｃを形成する２回目のカシメ変形を行えば、図４（ｃ）に示すように、導入線４と接続ピン３を確実に固定することができ、十分な電気的な接続も得られる。
【００２６】
一方で、導入線４が接続ピン３内でカシメ方向線Ｘ−Ｘからずれていない場合には、２回のカシメ変形を行うことによって、導入線４と接続ピン３との固定がより強固なものとなり、より確実な電気的接続が実現できる。このようにして、この実施例によれば、導入線４が接続ピン３内でどこに位置するかにかかわらず、導入線４と接続ピン３との固定が確実に得られることができる。
【図面の簡単な説明】
【００２７】
【図１】本発明の蛍光ランプの一部を破断して概略的に示す側面図および口金の概略正面図である。
【図２】本発明の一実施形態における蛍光ランプの口金の接続ピンを概略的に示す断面図である。
【図３】本発明の他の実施形態における蛍光ランプの口金の接続ピンを概略的に示す断面図である。
【図４】本発明の他の実施形態における蛍光ランプの口金の接続ピンを概略的に示す断面図である。
【図５】従来の蛍光ランプの一部を破断して概略的に示す側面図および口金の概略正面図である。
【図６】従来の蛍光ランプの口金の接続ピンを概略的に示す断面図である。
【図７】扁平断面を有する接続ピンを概略的に示す断面図である。
【図８】扁平断面を有する接続ピンを概略的に示す断面図である。
【符号の説明】
【００２８】
１  蛍光ランプ
２  口金
３  接続ピン
４  導入線
１０  ランプ本体
３１  扁平面
３２ａ、３２ｂ、３３ａ、３３ｂ  内壁
３４ａ、３４ｂ、３５ａ、３５ｂ  ガイド部
Ｘ−Ｘ  カシメ方向線
【図１】
0004905990.tif 000002
【図２】
0004905990.tif 000003
【図３】
0004905990.tif 000004
【図４】
0004905990.tif 000005
【図５】
0004905990.tif 000006
【図６】
0004905990.tif 000007
【図７】
0004905990.tif 000008
【図８】
0004905990.tif 000009